(57)【要約】      （修正有）【課題】リードフレーム材にマトリクス状に配列した複数の単位リードフレームを一括して樹脂封止した後、ダイシングにより個別化して個々の半導体装置を製造する方法において、ダイシング刃物の摩耗による寿命の低減、および切断時の金属バリに起因する製品不良の発生を、未然に防止する半導体装置の製造方法を提供する。【解決手段】リードフレーム材１の表面側における所定領域に、導体端子の上側端子１ａを突出形成した個々の単位リードフレーム１Ｓを、マトリクス状に配列形成する第１の工程において、リードフレーム材のカットライン上における切断領域に薄肉部１ｔを形成するとともに、リードフレーム材の裏面側にエッチングを施し、導体端子の下側端子を突出形成するとともに、導体端子同士を互いに分離させる第３の工程において、薄肉部をエッチングによって除去し、カットライン上における切断領域から、リードフレーム材１の金属材料を排除する。【選択図】図２
2011096892.tif 000002
【特許請求の範囲】
【請求項１】
リードフレーム材にマトリクス状に配列した複数の単位リードフレームを一括して樹脂封止したのち、ダイシングによって個別化することで個々の半導体装置を製造する半導体装置の製造方法であって、
前記リードフレーム材の表面側に、導体端子の上側端子を突出形成した個々の単位リードフレームを、マトリクス状に配列形成する第１の工程と、
前記単位リードフレームに搭載した半導体素子と、前記導体端子の上側端子とをワイヤボンディングしたのち、前記リードフレーム材の表面側において、複数の前記単位リードフレームを一括して樹脂封止した半導体装置の中間製品を形成する第２の工程と、
前記半導体装置の中間製品の裏面側にエッチングを施し、前記導体端子の下側端子を突出形成するとともに、前記導体端子同士を互いに分離させる第３の工程と、
複数の前記半導体装置の中間製品の一括樹脂封止体を、所定のカットラインに沿ってダイシングし、個々の半導体装置を個別化する第４の工程とを含んで成り、
前記第１の工程において、前記リードフレーム材の前記カットライン上における切断領域に薄肉部を形成するとともに、
前記第３の工程において、前記薄肉部を前記エッチングによって除去し、前記カットライン上における前記切断領域から、前記リードフレーム材の金属材料を排除することを特徴とする半導体装置の製造方法。
【請求項２】
前記リードフレーム材の表側に形成した凹部により、前記カットライン上における切断領域に薄肉部を形成したことを特徴とする請求項１記載の半導体装置の製造方法。
【請求項３】
前記リードフレーム材の裏側に形成した凹部により、前記カットライン上における切断領域に薄肉部を形成したことを特徴とする請求項１記載の半導体装置の製造方法。
【請求項４】
前記カットライン上における切断領域の薄肉部を、エッチングによって形成したことを特徴とする請求項１記載の半導体装置の製造方法。
【請求項５】
前記カットライン上における切断領域の薄肉部を、プレス加工によって形成したことを特徴とする請求項１記載の半導体装置の製造方法。
【請求項６】
前記カットライン上の切断領域における薄肉部の幅を、ダイシング刃物の刃厚よりも幅広に形成したことを特徴とする請求項１記載の半導体装置の製造方法。
【発明の詳細な説明】
【技術分野】
【０００１】
本発明は、半導体装置の製造方法に関するものであり、詳しくは、リードフレーム材にマトリクス状に配列した複数の単位リードフレームを一括して樹脂封止したのち、ダイシングにより個別化することで個々の半導体装置を製造する方法に関する。
【背景技術】
【０００２】
半導体装置の構造において、該半導体装置のパッケージ(封止樹脂)の底面と、実装基板における実装表面との距離を「スタンドオフ」といい、この「スタンドオフ」は、実装基板に対して半導体装置を実装する際の“容易さ”や“信頼性”を考慮して設定されている。
【０００３】
上記「スタンドオフ」を有する半導体装置としては、図９に示す如く、ダイパッドＤに搭載されたＩＣチップ(半導体素子)Ｅと、ダイパッドＤの周囲に形成された所定個数の導体端子Ｔ、Ｔ…とを、各々ボンディングワイヤＷ、Ｗ…を介して電気的に接続し、上記ＩＣチップＥおよびボンディングワイヤＷ、Ｗ…等を、パッケージ(封止樹脂)Ｐによって樹脂封止するとともに、上記パッケージＰの底面Ｐｂから導体端子Ｔの実装外部端子部Ｔｂを突出させて成る、所謂ＣＳＰ(チップサイズドパッケージ)タイプの半導体装置Ａが提供されている(例えば、特許文献１参照)。
【０００４】
上述の如き構成の半導体装置Ａを製造するには、先ず、図１０および図１１(ａ)に示すように、金属材料の薄板から成るリードフレーム材Ｌにおける表面の所定領域を、ハーフエッチング(１st エッチング)することにより、中央域に突設されたダイパッド部Ｄと、周囲に突設されたワイヤボンディング端子部Ｔａ、Ｔａ…とを有する、４つの単位リードフレームＬｓ、Ｌｓ…を形成する。
【０００５】
ここで、上記リードフレーム材Ｌにおいて、上述した４つの単位リードフレームＬｓ、Ｌｓ…は、２行×２列のマトリクス状に配列して形成されており、これら単位リードフレームＬｓ、Ｌｓ…の周囲は、リードフレーム本体Ｌにおける外枠Ｌｆにより囲われている。
【０００６】
次いで、図１１(ｂ)に示すように、個々の単位リードフレームＬｓのダイパッドＤにＩＣチップＥを搭載し、ボンディングワイヤＷ、Ｗ…によってＩＣチップＥとワイヤボンディング端子部Ｔａ、Ｔａ…とを接続したのち、リードフレーム材Ｌの表面側から４つの単位リードフレームＬｓ、Ｌｓ…を一括して樹脂封止する。
【０００７】
こののち、図１１(ｃ)に示すように、上記リードフレーム材Ｌの裏面をハーフエッチング(２nd エッチング)することにより、外部端子部Ｔｂ、Ｔｂ…を突設させて導体端子Ｔ、Ｔ…を形成するとともに、隣り合う導体端子Ｔ、Ｔ…同士を分離させ、さらに導体端子Ｔ、Ｔ…とダイパッドＤ、および導体端子Ｔ、Ｔ…と外枠Ｌｆとを分離させる。
【０００８】
次いで、上記リードフレーム本体Ｌ(外枠Ｌｆ)と一括樹脂封止体ＰＧとを、図１０および図１１(ｃ)に示したカットラインｌ、ｌ…に沿って、図示していないダイシング刃物を用いて切断(ダイシング)し、個々の半導体装置Ａ、Ａ…を個別化することによって１つ１つの製品が完成する。
【先行技術文献】
【特許文献】
【０００９】
【特許文献１】特開２００１−２４１３５号公報
【特許文献２】特開２００１−２４４３９９号公報
【特許文献３】特開２００１−３２０００７号公報
【発明の概要】
【発明が解決しようとする課題】
【００１０】
ところで、上述した如き従来の半導体装置の製造方法では、個々の半導体装置Ａ、Ａ…を個別化するための切断時において、封止樹脂から成る一括樹脂封止体ＰＧとともに、金属材料から成るリードフレーム本体Ｌ(外枠Ｌｆ)をも一緒に切断する必要があるため、ダイシング刃物の摩耗が起こり易く、該ダイシング刃物の寿命を縮めてしまう問題があった。
【００１１】
また、金属材料から成るリードフレーム本体Ｌ(外枠Ｌｆ)を切断する際、必然的に金属バリを生じることによって、この金属バリに起因するショート等の電気的な製品不良を招く虞れがあった。
【００１２】
ここで、半導体装置の製造に伴う、上述の如きダイシング刃物の摩耗や、金属バリの発生を抑えるべく、半導体装置の個別化に際するカットライン上に、開口部や凹部(肉薄部)を形成する構成が、従来から幾つか提案されている(例えば、特許文献２、および特許文献３参照)。
【００１３】
しかしながら、上記特許文献２および特許文献３に開示された何れの構成においても、結局はパッケージを構成する封止樹脂と、リードフレームの金属材料とを同時に切断していることでは、図１０、図１１を示して説明した従来の製造方法と変わらず、もって従来の不都合を解消するには十全なものではなかった。
【００１４】
本発明の目的は、上記実状に鑑みて、リードフレーム材にマトリクス状に配列した複数の単位リードフレームを一括して樹脂封止したのち、ダイシングにより個別化することで個々の半導体装置を製造する方法を対象とし、切断時におけるダイシング刃物の摩耗による寿命の低減、および切断時の金属バリに起因する製品不良の発生を未然に防止し得る、半導体装置の製造方法を提供することにある。
【課題を解決するための手段】
【００１５】
上記目的を達成するべく、請求項１の発明に係る半導体装置の製造方法は、
リードフレーム材の表面側に、導体端子の上側端子を突出形成した個々の単位リードフレームを、マトリクス状に配列形成する第１の工程と、
単位リードフレームに搭載した半導体素子と、導体端子の上側端子とをワイヤボンディングしたのち、リードフレーム材の表面側において複数の単位リードフレームを一括して樹脂封止した半導体装置の中間製品を形成する第２の工程と、
半導体装置の中間製品の裏面側にエッチングを施し、導体端子の下側端子を突出形成するとともに導体端子同士を互いに分離させる第３の工程と、
複数の半導体装置の中間製品の一括樹脂封止体を所定のカットラインに沿ってダイシングし、個々の半導体装置を個別化する第４の工程とを含んで成り、
第１の工程において、リードフレーム材のカットライン上における切断領域に薄肉部を形成するとともに、
第３の工程において、薄肉部をエッチングにより除去してカットライン上における切断領域からリードフレーム材の金属材料を排除することを特徴としている。
【００１６】
請求項２の発明に係る半導体装置の製造方法は、請求項１の発明に係る半導体装置の製造方法において、リードフレーム材の表側に形成した凹部により、カットライン上における切断領域に薄肉部を形成したことを特徴としている。
【００１７】
請求項３の発明に係る半導体装置の製造方法は、請求項１の発明に係る半導体装置の製造方法において、リードフレーム材の裏側に形成した凹部により、カットライン上における切断領域に薄肉部を形成したことを特徴としている。
【００１８】
請求項４の発明に係る半導体装置の製造方法は、請求項１の発明に係る半導体装置の製造方法において、カットライン上における切断領域の薄肉部を、エッチングによって形成したことを特徴としている。
【００１９】
請求項５の発明に係る半導体装置の製造方法は、請求項１の発明に係る半導体装置の製造方法において、カットライン上における切断領域の薄肉部を、プレス加工によって形成したことを特徴としている。
【００２０】
請求項６の発明に係る半導体装置の製造方法は、請求項１の発明に係る半導体装置の製造方法において、カットライン上の切断領域における薄肉部の幅を、ダイシング刃物の刃厚よりも幅広に形成したことを特徴としている。
【発明の効果】
【００２１】
請求項１の発明に係る半導体装置の製造方法によれば、第３の工程において薄肉部をエッチングにより除去し、カットライン上における切断領域からリードフレーム材の金属材料を排除したことにより、続く第４の工程においては、金属材料から成るリードフレーム材を何ら切断することなく、一括樹脂封止体の樹脂材料だけを切断することとなり、もってダイシング刃物の摩耗が可及的に抑えられ、該ダイシング刃物の寿命を延ばすことができる。  
また、上述の如く、金属材料から成るリードフレーム材を何ら切断しないため、切断時において金属バリが発生することはなく、もって金属バリに起因する製品不良の発生を未然に防止することができる。  
さらに、上述の如く、一括樹脂封止体の樹脂材料だけを切断するために、リードフレーム材の金属材料をも切断していた従来の製造方法に比べ、切断時におけるカットスピードを上げることができ、もって半導体装置の製造に係る生産効率を向上させることができる。
【００２２】
請求項２の発明に係る半導体装置の製造方法によれば、カットライン上の切断領域における薄肉部を、リードフレーム材の表側に形成した凹部によって形成しているので、作業性の良い加工方法を適宜に選択することによって、上記凹部を容易に形成することができる。
【００２３】
請求項３の発明に係る半導体装置の製造方法によれば、カットライン上の切断領域における薄肉部を、リードフレーム材の裏側に形成した凹部によって形成しているので、作業性の良い加工方法を適宜に選択することによって、上記凹部を容易に形成することができる。
【００２４】
請求項４の発明に係る半導体装置の製造方法によれば、カットライン上における切断領域の薄肉部をエッチングにより形成しているので、既存のエッチング技術を有効に利用することによって、上記薄肉部を容易かつ精度良く形成することが可能となる。
【００２５】
請求項５の発明に係る半導体装置の製造方法によれば、カットライン上における切断領域の薄肉部をプレス加工により形成しているので、既存のプレス加工技術を有効に利用することによって、上記薄肉部を容易かつ精度良く形成することが可能となる。
【００２６】
請求項６の発明に係る半導体装置の製造方法によれば、カットライン上の切断領域における薄肉部の幅を、ダイシング刃物の刃厚よりも幅広に形成しているため、第３の工程において薄肉部を除去し、カットライン上の切断領域からリードフレーム材の金属材料を排除することで、第４の工程における切断時にダイシング刃物がリードフレームに接触することを防止でき、もってダイシング刃物の摩耗、金属バリの発生による製品不良、およびカットスピードの低下を確実に防止することが可能となる。
【図面の簡単な説明】
【００２７】
【図１】本発明に係る半導体装置の製造方法における第１工程を施したリードフレーム材を示す平面図。
【図２】(ａ)は本発明に係る半導体装置の製造方法における第１工程を施したリードフレーム材の要部平面図、(ｂ)は(ａ)中のｂ−ｂ線断面図、(ｃ)は(ａ)中のｃ−ｃ線断面図。
【図３】(ａ)は本発明に係る半導体装置の製造方法における第２工程を施した半導体装置の中間製品の要部平面図、(ｂ)は(ａ)中のｂ−ｂ線断面図、(ｃ)は(ａ)中のｃ−ｃ線断面図。
【図４】(ａ)は本発明に係る半導体装置の製造方法における第３工程を施した半導体装置の中間製品の要部平面図、(ｂ)は(ａ)中のｂ−ｂ線断面図、(ｃ)は(ａ)中のｃ−ｃ線断面図。
【図５】本発明に係る半導体装置の製造方法における第４工程を施す直前の半導体装置の中間製品の平面図。
【図６】(ａ)は本発明に係る半導体装置の製造方法における他の実施例の第１工程を施したリードフレーム材の要部平面図、(ｂ)は(ａ)中のｂ−ｂ線断面図、(ｃ)は(ａ)中のｃ−ｃ線断面図。
【図７】(ａ)は本発明に係る半導体装置の製造方法における他の実施例の第２工程を施した半導体装置の中間製品の要部平面図、(ｂ)は(ａ)中のｂ−ｂ線断面図、(ｃ)は(ａ)中のｃ−ｃ線断面図。
【図８】(ａ)は本発明に係る半導体装置の製造方法における他の実施例の第３工程を施した半導体装置の中間製品の要部平面図、(ｂ)は(ａ)中のｂ−ｂ線断面図、(ｃ)は(ａ)中のｃ−ｃ線断面図。
【図９】従来の方法によって製造された半導体装置を示す断面図。
【図１０】従来の半導体装置の製造方法に用いられるリードフレーム材の平面図。
【図１１】(ａ)、(ｂ)、(ｃ)は、従来の半導体装置の製造方法における各工程を示す断面図。
【発明を実施するための形態】
【００２８】
以下、本発明に係る半導体装置の製造方法について、実施例を示す図面を参照しながら詳細に説明する。  
なお、本発明に係る半導体装置の製造方法によって製造される半導体装置の構造が、図９に示した半導体装置Ａと基本的に同一であることは言うまでもない。
【００２９】
本発明に則って半導体装置を製造するには、先ず、第１の工程において、図１および図２に示す如く、金属材料の薄板から成るリードフレーム材１の表面における所定領域を、ハーフエッチング(１st エッチング)することによって、中央域に突設されたダイパッド部１ｄと、周囲に突設されたワイヤボンディング端子部(上側端子)１ａ、１ａ…とを有する、個々の単位リードフレーム１Ｓ、１Ｓ…を形成する。なお、本工程はプレス加工により実施しても良い。
【００３０】
また、上記ハーフエッチング(１st エッチング)の前段階において、リードフレーム材１の表面と裏面とには、ワイヤボンディング端子部(上側端子)１ａに対応する部位と、実装外部端子部(上側端子)１ｂ(図４参照)に対応する部位とに、それぞれ“半田のり”を良くするためのメッキ層ｍ、ｍ…が形成されている。
【００３１】
上記リードフレーム材１の表面には、上述した単位リードフレーム１Ｓ、１Ｓ…が、２行×２列のマトリクス状に配列して形成されており、これら４つの単位リードフレーム１Ｓ、１Ｓ…によって、１つの単位リードフレーム群１Ｕが構成されている。
【００３２】
また、帯状を呈するリードフレーム材１の表面には、その長手方向に沿って単位リードフレーム群１Ｕ、１Ｕ…が配列して形成されており、個々の単位リードフレーム群１Ｕ、１Ｕ…の周囲は、リードフレーム本体１の外枠１Ｆによって囲われている。
【００３３】
上記リードフレーム本体１の外枠１Ｆには、後述する第４の工程におけるカットラインｌ、ｌ…に沿った、言い換えれば各カットラインｌ上における切断領域に、表側から溝部(凹部)１ｇ、１ｇ…を形成することで、それぞれ薄肉部１ｔ、１ｔ…が形成されている。
【００３４】
ここで、上記薄肉部１ｔを形成するべく、外枠１Ｆの表側に形成される溝部１ｇは、例えば第１の工程におけるハーフエッチング(１st エッチング)と同時にエッチングすることにより、あるいは上記エッチングとは別工程のプレス加工によって形成される。
【００３５】
上記溝部１ｇの形成、言い換えれば薄肉部１ｔの形成に際して、エッチングあるいはプレス加工の何れの加工方法を採用した場合でも、既存の技術を有効に利用することにより、上記溝部１ｇおよび薄肉部１ｔを容易かつ精度良く形成することができる。
【００３６】
また、上記薄肉部１ｔを形成するべく、外枠１Ｆの表側に形成される溝部１ｇの幅は、後述する第４の工程においてダイシングに用いられる、図示していないダイシング刃物の刃厚よりも幅広に形成されている。
【００３７】
さらに、上記外枠１Ｆの表側に形成される溝部１ｇの深さは、後述する第３の工程におけるハーフエッチング(２nd エッチング)を終了した後に残存する外枠１Ｆの肉厚よりも深く設定されている。
【００３８】
次いで、第２の工程において、図３に示す如く、個々の単位リードフレーム１Ｓのダイパッド１ｄにＩＣチップ１０を搭載し、ボンディングワイヤ１１、１１…を介して、ＩＣチップ１０とワイヤボンディング端子部１ａ、１ａ…とを接続したのち、単位リードフレーム群１Ｕを構成する４つの単位リードフレーム１Ｓ、１Ｓ…を、リードフレーム材１の表面側から一括して樹脂封止を行ない、半導体装置の中間製品の一括樹脂封止体２０を形成する。
【００３９】
次いで、第３の工程において、図４に示す如く、上記リードフレーム材１の裏面をハーフエッチング(２nd エッチング)することにより、外部端子部１ｂ、１ｂ…を突設させて導体端子１２、１２…を形成するとともに、隣り合う導体端子１２、１２…同士を分離させ、さらに導体端子１２、１２…とダイパッド部１ｄ(ダイパッド１３)、および導体端子１２、１２…と外枠１Ｆとを分離させる。
【００４０】
ここで、上記リードフレーム材１の裏面をハーフエッチング(２nd エッチング)することで、外枠１Ｆに形成した薄肉部１ｔ、１ｔ…もエッチングによって除去され、これによってカットラインｌ上における切断領域から、リードフレーム材１(外枠１Ｆ)の金属材料が排除されることとなり、図４および図５に示す如く、上記リードフレーム材の外枠１Ｆには、カットラインｌ上における切断領域に、スリット１ｓ、１ｓ…が画成されることとなる。
【００４１】
次いで、第４の工程において、図５に示したカットラインｌ、ｌ…に沿って、図示していないダイシング刃物を用い、一括樹脂封止体２０を切断(ダイシング)し、個々の半導体装置１００、１００…を個別化することにより、１つ１つの製品が完成することとなる。
【００４２】
ここで、第３の工程において薄肉部１ｔをエッチングにより除去し、カットラインｌ上における切断領域からリードフレーム材１の金属材料を排除したことにより、続く第４の工程においては、金属材料から成るリードフレーム材１を何ら切断することなく、一括樹脂封止体２０の樹脂材料だけを切断することとなり、もってダイシング刃物の摩耗が可及的に抑えられ、該ダイシング刃物の寿命を延ばすことが可能となる。
【００４３】
また、上記第４の工程においては、上述のように金属材料から成るリードフレーム材１を何ら切断しないため、切断時において金属バリが発生することはなく、もって金属バリに起因する製品不良の発生を未然に防止することが可能となる。
【００４４】
さらに、上記第４の工程においては、上述のように一括樹脂封止体２０の樹脂材料だけを切断するために、リードフレーム材の金属材料をも切断していた従来の製造方法に比べ、切断時におけるカットスピードを上げることができ、もって半導体装置１００の製造に係る生産効率を向上させることが可能となる。
【００４５】
図６〜図８は、本発明に係る半導体装置の製造方法における他の実施例を示しており、図６に示す第１の工程において、リードフレーム本体１′の外枠１Ｆ′には、第４の工程におけるカットラインに沿った、言い換えれば各カットライン上における切断領域に、裏側から溝部(凹部)１ｇ′、１ｇ′…を形成することで、それぞれ薄肉部１ｔ′、１ｔ′…が形成されている。
【００４６】
なお、上述したリードフレーム本体１′において、外枠１Ｆ′の裏側に形成した溝部１ｇ′により、カットライン上の切断領域に薄肉部１ｔ′を形成している以外の構成は、図１および図２に示した実施例のリードフレーム本体１と変わるところはなく、また第１〜第４の工程に関しても、図１〜図５に示した実施例と基本的に変わるところはないので、以下、図１〜図５に示された構成要素と同一の要素については、図６〜図８において同一の符号に′(ダッシュ)を附すことで詳細な説明を省略する。
【００４７】
ここで、上記薄肉部１ｔ′を形成するべく、外枠１Ｆ′の裏側に形成される溝部１ｇ′は、エッチングあるいはプレス加工によって形成されており、その幅寸法は、第４の工程において用いられるダイシング刃物の刃厚よりも幅広に設定されている。
【００４８】
また、上記外枠１Ｆ′の裏側に形成される溝部１ｇ′の深さ、言い換えれば薄肉部１ｔ′の肉厚(板厚)は、第３の工程におけるハーフエッチング(２nd エッチング)のエッチング深さよりも薄く設定されている。
【００４９】
図６に示した第１の工程に次いで、図７に示した第２の工程を経たのち、図８に示す第３の工程においては、リードフレーム材１′の裏面をハーフエッチング(２nd エッチング)することで、外部端子部１ｂ′を突設させて導体端子１２′を形成するとともに、隣り合う導体端子１２′同士を分離させ、さらに導体端子１２′とダイパッド部１ｄ′(ダイパッド１３′)、および導体端子１２′と外枠１Ｆ′とを分離させる。
【００５０】
このとき、上記リードフレーム材１′の裏面をハーフエッチング(２nd エッチング)することで、外枠１Ｆ′に形成した薄肉部１ｔ′、１ｔ′…もエッチングによって除去され、これによってカットライン上における切断領域から、リードフレーム材１′(外枠１Ｆ′)の金属材料が排除され、スリット１ｓ′、１ｓ′…が画成されることとなる。
【００５１】
すなわち、先の実施例における図５と同じ態様となり、第４の工程において、カットラインｌ、ｌ…(図５参照)に沿って、ダイシング刃物により一括樹脂封止体２０′を切断し、個々の半導体装置１００′、１００′…を個別化することで、１つ１つの製品が完成することとなる。
【００５２】
このように、図６〜図８に示した実施例においても、第３の工程において薄肉部１ｔ′をエッチングにより除去し、カットラインｌ上における切断領域からリードフレーム材１′の金属材料を排除したことで、続く第４の工程においては、金属材料から成るリードフレーム材１′を何ら切断することなく、一括樹脂封止体２０′の樹脂材料だけを切断することとなる。
【００５３】
かくして、ダイシング刃物の摩耗が可及的に抑えられ、該ダイシング刃物の寿命を延ばすことが可能となり、また、切断時において金属バリが発生することがなく、もって金属バリに起因する製品不良の発生を未然に防止することが可能となり、さらに、切断時におけるカットスピードを上げることができ、もって半導体装置の製造に係る生産効率を向上させることが可能となる。
【符号の説明】
【００５４】
１…リードフレーム材、
１Ｕ…単位リードフレーム群、
１Ｆ…外枠、
１Ｓ…単位リードフレーム、
１ａ…ワイヤボンディング端子部、
１ｂ…実装外部端子部、
１ｄ…ダイパッド部、
１ｇ…溝部(凹部)、
１ｔ…薄肉部、
１０…ＩＣチップ(半導体素子)、
１１…ボンディングワイヤ、
１２…導体端子、
１３…ダイパッド、
１４…パッケージ、
２０…一括樹脂封止体、
１００…半導体装置、
ｌ…カットライン。
【図１】
2011096892.tif 000003
【図２】
2011096892.tif 000004
【図３】
2011096892.tif 000005
【図４】
2011096892.tif 000006
【図５】
2011096892.tif 000007
【図６】
2011096892.tif 000008
【図７】
2011096892.tif 000009
【図８】
2011096892.tif 000010
【図９】
2011096892.tif 000011
【図１０】
2011096892.tif 000012
【図１１】
2011096892.tif 000013